(57)【要約】【課題】低コストで作成可能な複数種類の券種の判別を可能とする券種判別システムと、券種判別方法を提供する【解決手段】複数種類の券種からなる被読取媒体の種類を判別する券種判別システムであって、少なくとも二種類以上の周波数の異なる電波を空間に放射する電波放射手段と、前記周波数の異なる電波のうち、いずれかの周波数の電波と共振周波数が一致する導体のパターンまたは一致しない導体のパターンを有する被読取媒体と、前記被読取媒体に前記放射された電波をあてた際に反射する電波を受信する電波受信手段と、前記受信した電波の受信強度を検知する手段と、前記受信強度から被読取媒体の券種を判別する手段と、を備えたことを特徴とする券種判別システム。【選択図】図３
2011227544.tif 000002
【特許請求の範囲】
【請求項１】
複数種類の券種からなる被読取媒体の種類を判別する券種判別システムであって、
少なくとも二種類以上の周波数の異なる電波を空間に放射する電波放射手段と、
前記周波数の異なる電波のうち、いずれかの周波数の電波と共振周波数が一致する導体のパターンまたは一致しない導体のパターンを有する被読取媒体と、
前記被読取媒体に前記放射された電波をあてた際に反射する電波を受信する電波受信手段と、
前記受信した電波の受信強度を検知する手段と、
前記受信強度から被読取媒体の券種を判別する手段と、を備えたことを特徴とする券種判別システム。
【請求項２】
複数種類の券種からなる被読取媒体の種類を判別する券種判別方法であって、
少なくとも二種類以上の周波数の異なる電波を空間に放射し、
前記周波数の異なる電波のうち、いずれかの周波数の電波と共振周波数が一致する導体のパターンまたは一致しない導体のパターンを有する被読取媒体に、前記放射された電波をあてた際に反射する電波を受信し、
前記受信した電波の受信強度を検知し、該受信強度から被読取媒体の券種を判別することを特徴とする券種判別方法。
【請求項３】
前記被読取媒体に設けられた共振周波数が一致する導体パターンと一致しない導体のパターンの違いが、肉眼では認識できない大きさの形状であることを特徴とする請求項２に記載の券種判別方法。
【請求項４】
前記被読取媒体は隠蔽層を有し、導体パターンを認識できないことを特徴とする請求項２に記載の券種判別方法。
【請求項５】
前記被読取媒体は、被読取媒体に入射する光の入射角度もしくは視認角度によって色調が変化する機能材料と、特定波長の電磁波によって励起することによって前記特定波長と異なる波長の電磁波を放射する蛍光材料または蓄光材料と、
特定パターンの偏光性を有し特定偏光を取り出すことによりパターンを表示する液晶材料と、の少なくともいずれか一つの材料からなるセキュリティ機能を有する偽造防止媒体が設けられたことを特徴とする請求項２に記載の券種判別方法。
【請求項６】
前記被読取媒体は、少なくとも片面に、被貼付体へ貼り付けるための接着層が設けられた被読取ラベルを有することをことを特徴とする請求項２に記載の券種判別方法。
【請求項７】
前記被読取ラベルは接着層上に剥離可能に支持した基材が設けられた転写箔を用いて作成される被読取ラベルであることを特徴とする請求項２または６に記載の券種判別方法。
【請求項８】
前記被読取媒体は、前記セキュリティ機能を有する偽造防止媒体のうち、少なくとも片面に、被貼付体へ貼り付けるための接着層が設けられた偽造防止ラベルであることを特徴とする請求項２または５に記載の券種判別方法。
【請求項９】
前記偽造防止ラベルは接着層上に剥離可能に支持した基材が設けられた転写箔を用いて作成される偽造防止ラベルであることを特徴とする請求項２、５、８のいずれかに記載の券種判別方法。
【請求項１０】
前記券種判別システムは電波を遮蔽する素材によって空間に放射した電波が外に漏れないよう全体が覆われることを特徴とした請求項１記載の券種判別システム。
【発明の詳細な説明】
【技術分野】
【０００１】
本発明は、特定周波数に共振する共振体を有する媒体が複数種類存在し、該媒体へ券種判別装置から電波を放射することで、どの種類の媒体であるかの券種判別を行う技術に関するものである。
【０００２】
また本発明は紙幣、商品券、カードなどの偽造対策、複製対策として、偽造防止媒体及びそれを用いた偽造防止ラベルならびに物品などに関するものであり、特に肉眼や検証機器を用いて真正判別を可能とするセキュリティ性の高い偽造防止技術に関するものである。
【０００３】
偽造防止媒体などに対し、券種判別機能を付与することで、例えば、読取装置を備えた自動販売機や券種読取機へ、券種判別機能付き偽造防止媒体を貼付した紙幣や商品券、カードなどを投入することで、読取装置が券種を判別することができる価値を提供するものである。
【０００４】
外観から券種判別機能を持っていることを分からないようにすれば、券種判別機能自身もまた偽造防止効果を生む。
【背景技術】
【０００５】
電波の共振を利用して物体の有無を判別する技術は、例えば特許文献１に記載されている。特許文献１に記載の技術は、万引き防止タグと検出ゲートに関するもので、送信機、受信機、変調信号検出機を備えた検出装置と、アンテナにダイオード回路を備えた万引き防止タグからなり、万引き防止タグが送信機と受信機の間に侵入すると、ダイオード回路により変調が変化し、その変化を検出することで、万引き防止タグの有無を検知するものである。また他にも、共振ループアンテナにコンデンサを実装した共振体を万引き防止タグとし、共振を検知する検出装置によってタグの侵入を検知する方法なども提案されている。
【０００６】
この方法は、人の手を介さず自動認識できるメリットもある。主に万引き防止タグとして広く利用されることから、特定の周波数に共振する同様の万引き防止タグを大量に生産し、物品などに貼付されるが、物品を個別に認識する用途には向かない。
【０００７】
しかし、電波を用いて物体個々を識別する技術は、例えば特許文献２に記載されている。固有のＩＤ（ＩＤｅｎｔｉｆｉｃａｔｉｏｎ）が、内蔵されたメモリに書き込まれたＩＣ（Ｉｎｔｅｇｒａｔｅｄ  Ｃｉｒｃｕｉｔ）チップを用いて、これを実装したアンテナと読取装置が電波を介して通信を行うことにより、読取装置がＩＤ情報を読み取ることによって、前記ＩＣチップとアンテナとで構成されたタグ一つ一つを個別に認識する方法も知られている。
【０００８】
この方法によれば、貼付された物品を個別に非接触で認識することが可能であり、更に前記方法と同様万引き防止にも利用することができる。しかしながら、ＩＣチップが前記ダイオードやコンデンサよりも高価であり、高い実装精度が要求されるなどコストアップというデメリットが生じる。
【０００９】
一方、紙幣や商品券、クレジットカードなど重要なカードなどには、それが真正品であるかを判別するための技術として、偽造防止技術が用いられている。例えば、その方法の一つであるホログラムや回折格子を用いた提案として、特許文献３に記載されている方法
があり、目視で真偽が分かるオバート技術として知られている。他にもオバート技術としては、多層薄膜干渉やコレステリック高分子液晶顔料などを利用し、入射光の角度や、視認角度を変えることによって色や画像が変わる手法が提案されている。
【００１０】
また他の方法としては、特許文献４に記載されているような、偏光フィルタを検証機として重ねることによって潜像が出現する方法や、他にも、例えば紫外線など特定波長Ａの電磁波を照射するような検証機で、照射された電磁波の波長とは異なる電磁波、例えば可視光や赤外光などを放射するような特殊材料を用いて得られた特定波長Ｂを、肉眼や特殊カメラなどの検証機を用いて検証することにより、真正品を判別する提案が公知であり、これは検証機を限られた者だけが持つことによって、この仕組みを知らない者は偽造防止措置がされていることに気付かないコバート技術として知られている。
【００１１】
これらのようなオバート技術やコバート技術を利用して作られた偽造防止媒体も、検証機を必要とするかしないかの違いはあるが、画像表示体であることが多く、また最終的に人間が真正品か偽造品かを判断することが殆どである。
【００１２】
しかし偽造防止媒体を必要とする物品は、真正品と偽造品を人間が判別する目的だけではなく、自動販売機や認証機器などでの券種判別や認証などを目的として、自動認識を要求される場面がある。そのために磁性体印刷による磁気の有無や、磁気ストライプに書き込まれたＩＤ番号、また高度な暗号通信機能を有する接触式ＩＣチップなどを備えたり、更に特許文献５に記載の手法などは、特許文献２に記載の手法を偽造防止媒体に応用し、偽造防止媒体に搭載されたＩＣチップを用いてＩＤを取得したりするなど、様々な方法が提案されているが、それほど多数の券種を必要としない場面では、低コストで自動認識の仕組みが提供されることが好ましい。また偽造しようとする者に気付かれないよう秘密裏に備えられるほど良い。
【先行技術文献】
【特許文献】
【００１３】
【特許文献１】特公平６−３２１３５号公報
【特許文献２】特開２００４−１０２９４７号公報
【特許文献３】特開平１０−２７８４６２号公報
【特許文献４】特開２００１−１０５８００号公報
【特許文献５】特開２００９−１３４３９８号公報
【発明の概要】
【発明が解決しようとする課題】
【００１４】
そこで本発明は低コストで作成可能な複数種類の券種の判別を、可能とする券種判別システムと、券種判別方法を提供することを目的とする。
【課題を解決するための手段】
【００１５】
課題を解決するための手段として、請求項１に記載の発明は、複数種類の券種からなる被読取媒体の種類を判別する券種判別システムであって、
少なくとも二種類以上の周波数の異なる電波を空間に放射する電波放射手段と、
前記周波数の異なる電波のうち、いずれかの周波数の電波と共振周波数が一致する導体のパターンまたは一致しない導体のパターンを有する被読取媒体と、
前記被読取媒体に前記放射された電波をあてた際に反射する電波を受信する電波受信手段と、
前記受信した電波の受信強度を検知する手段と、
前記受信強度から被読取媒体の券種を判別する手段と、を備えたことを特徴とする券種判別システムである。
【００１６】
請求項２に記載の発明は、複数種類の券種からなる被読取媒体の種類を判別する券種判別方法であって、
少なくとも二種類以上の周波数の異なる電波を空間に放射し、
前記周波数の異なる電波のうち、いずれかの周波数の電波と共振周波数が一致する導体のパターンまたは一致しない導体のパターンを有する被読取媒体に、前記放射された電波をあてた際に反射する電波を受信し、
前記受信した電波の受信強度を検知し、該受信強度から被読取媒体の券種を判別することを特徴とする券種判別方法である。
【００１７】
請求項３に記載の発明は、前記被読取媒体に設けられた共振周波数が一致する導体パターンと一致しない導体のパターンの違いが、肉眼では認識できない大きさの形状であることを特徴とする請求項２に記載の券種判別方法である。
【００１８】
請求項４に記載の発明は、前記被読取媒体は隠蔽層を有し、導体パターンを認識できないことを特徴とする請求項２に記載の券種判別方法である。
【００１９】
請求項５に記載の発明は、前記被読取媒体は、被読取媒体に入射する光の入射角度もしくは視認角度によって色調が変化する機能材料と、特定波長の電磁波によって励起することによって前記特定波長と異なる波長の電磁波を放射する蛍光材料または蓄光材料と、
特定パターンの偏光性を有し特定偏光を取り出すことによりパターンを表示する液晶材料と、の少なくともいずれか一つの材料からなるセキュリティ機能を有する偽造防止媒体が設けられたことを特徴とする請求項２に記載の券種判別方法である。
【００２０】
請求項６に記載の発明は、前記被読取媒体は、少なくとも片面に、被貼付体へ貼り付けるための接着層が設けられた被読取ラベルを有することをことを特徴とする請求項２に記載の券種判別方法である。
【００２１】
請求項７に記載の発明は、前記被読取ラベルは接着層上に剥離可能に支持した基材が設けられた転写箔を用いて作成される被読取ラベルであることを特徴とする請求項２または６に記載の券種判別方法である。
【００２２】
請求項８に記載の発明は、前記被読取媒体は、前記セキュリティ機能を有する偽造防止媒体のうち、少なくとも片面に、被貼付体へ貼り付けるための接着層が設けられた偽造防止ラベルであることを特徴とする請求項２または５に記載の券種判別方法である。
【００２３】
請求項９に記載の発明は、前記偽造防止ラベルは接着層上に剥離可能に支持した基材が設けられた転写箔を用いて作成される偽造防止ラベルであることを特徴とする請求項２、５、８のいずれかに記載の券種判別方法である。
【００２４】
請求項１０に記載の発明は、前記券種判別システムは電波を遮蔽する素材によって空間に放射した電波が外に漏れないよう全体が覆われることを特徴とした請求項１記載の券種判別システムである。
【発明の効果】
【００２５】
本発明により、偽造防止媒体が券種判別や認証などを目的として自動認識を要求される時に、低コストで作成できる多数の券種を判別することが可能となる。同じく機械検知により券種や個別を判別できる仕組みとして知られている磁性体印刷による磁気の有無検知や、磁気ストライプに書きこまれたＩＤ番号の検知、もしくは、接触もしくは被接触ＩＣチップを備え暗号通信やＩＤ通信を行わずに券種の判別が可能となる。磁性体印刷では磁
気の有無の確認はできるが多数の券種を判別することができず、磁気ストライプは強力に磁化された磁石に近付けることによって情報が消失する問題がある。また、ＩＣチップを利用した場合には、判別する種類は多いがコストが高くなる。一方、本発明に係る被読取媒体は磁気の影響は受けず、導体のパターン形状そのものが情報となるため、著しい物理的な破壊や変形が発生しない限り情報が保持される。
【００２６】
本発明に係る被読取媒体はＩＣチップの使用や実装が不要であるためコストを低く抑えることができる。一般的に偽造防止媒体は光反射層として金属膜を備えていることが多く、更に偽造防止効果を高めるため、文字や模様状に金属膜の一部を除去することも行われている。このような偽造防止媒体に対しては、金属膜を特定周波数に共振するような形状にするだけで、券種判別機能を付与することができる。
【００２７】
また、高周波の利用や隠蔽層を備えれば、このような仕組みや機能付与が行われていること自体を秘匿することができる。
【図面の簡単な説明】
【００２８】
【図１】券種判別セットの構成を示す構成図である。
【図２】券種読取装置の構成を示す構成図である。
【図３】被読取媒体およびラベルの構成図である。
【図４】偽造防止媒体の構成図である。
【図５】転写箔の構成図である。
【発明を実施するための形態】
【００２９】
図１は、本発明の券種判別システム１００の構成を示した図である。券種判別システム１００は、券種読取装置１０１と、被読取媒体１０２からなり、券種読取装置１０１は、券種判別装置部１０３とアンテナ部１０４からなる。
【００３０】
券種判別装置部１０３で生成された電波が電波放射手段であるアンテナ部１０４から空間に放射され、その周波数の電波と共振周波数が一致する導体のパターンまたは一致しない導体のパターンを有する被読取媒体１０２にあたる際、放射された電波の周波数と被読取媒体１０２の共振周波数が一致していた場合は、電波の大部分が熱に変換されて空間に放射され、一致していない場合は、殆どそのまま反射される。
【００３１】
また、電波を遮断するような素材で、これら券種読取装置１０１と被読取媒体１０２を完全に覆い、覆われた部分より外側に電波が漏れ出ないようにしたシールド１０５によって、券種判別システム１００を囲っても良いし、囲わなくても良い。囲わない場合は、各国各地の電波行政による規制に則った周波数や、出力規制内の大きさの電波しか空間に放射できない。囲った場合は、自由空間に電波が全く出てこないため、周波数や出力の大きさに関係なく電波を使用することが出来る。但し電波を遮断する素材、例えば鉄などの金属類は、一般的には電波を反射し易いため、シールド１０５を前記素材で作る場合は、複雑なフェージングが発生し、正常に券種判別が行えない可能性があるため、シールド内側に、例えば突起状に加工された発泡ウレタンなど電波を吸収し易い素材等を貼り付けて、シールド内壁による反射が起こりにくいように工夫することが好ましい。
【００３２】
図２は、券種読取装置１０１の構成図である。券種読取装置１０１を構成する券種判別装置部１０３とアンテナ部１０４のうち、アンテナ部１０４を構成するアンテナの数により、例えば券種判別装置構成Ａ２０１と券種判別装置構成Ｂ２０２の二種類の構造がある。券種判別装置構成Ａ２０１の場合、アンテナ部１０４を構成するアンテナは電波放射手段である送信アンテナ２０３と電波受信手段である受信アンテナ２０４の２つのアンテナである。券種判別装置構成Ｂ２０２の場合、アンテナ部１０４を構成するアンテナは送信と受信の機能を兼ねる送受信アンテナ２０７の１つのアンテナである。
【００３３】
券種判別装置部１０３は、電波生成部２０１と電波受信部２０２と制御部２０９からなるが、券種判別装置構成Ａ２０１の場合、電波生成部２０５は電波放射手段である送信アンテナ２０３に接続され、電波は放射される。電波受信部２０６は電波受信手段である受信アンテナ２０４に接続され、電波は受信される。すなわち、送信部と受信部が完全に独立している。一方、券種判別装置構成Ｂ２０２の場合、電波生成部２０５から送られた電波は、方向性結合器２０８を通って送受信アンテナ２０７から放射され、受信する電波は同じアンテナから方向性結合器２０８を通って電波受信部２０６へ送られる。方向性結合器２０８が設けられることにより、電波生成部２０５から電波受信部２０６へ直接送られたり、受信すべき電波が送受信アンテナ２０７から電波生成部２０５へ流れたりすることはない。
【００３４】
電波生成部２０５は、生成する電波の周波数を任意で変更することが可能であり、電波受信部２０７は、電波生成部２０５が生成している周波数を放射している間は、生成周波数と同じ周波数の電波の電界強度を認識することが出来る。
【００３５】
制御部２０９は、電波生成部２０５に対して生成する周波数の値を指示し、受信した電波の強度を検知する手段である電波受信部２０６が認識した電界強度を記憶する。また、異なる周波数を生成した際に受信した電界強度を比較し、最も弱い電界強度の周波数を検知して表示する機能を有している。
【００３６】
このようにして、券種読取装置が空間に放射した例えば特定周波数Ａに共振する導体のパターンを有する被読取媒体Ａに、前記特定周波数Ａの電波があたると、共振により電波のエネルギーの一部が熱に変わり、反射して券種読取装置に戻ってくる電波の電界強度が小さくなる。一方、券種読取装置が空間に放射した特定周波数Ａとは異なる例えば特定周波数Ｂを、前記被読取媒体Ａにあてると、共振はおこらず電波のエネルギー消費が無いため、反射して戻ってくる電波の電界強度は、特定周波数Ａを被読取媒体Ａにあてた時よりも大きくなる。この結果、券種読取装置が一つの被読取媒体に対して二種類以上の周波数の電波をあて、同時に受信する電波の電界強度を比較することで、被読取媒体がどの周波数に共振しているか判別することが可能となる。
【００３７】
前記被読取媒体に放射される電波の周波数は高周波である場合、被読取媒体に設けられた共振周波数が一致する導体のパターンまたは一致しない導体のパターンは、僅かな形状の違いで共振周波数を変えることができるため、各周波数に共振するよう異なった形状になっている被読取媒体の導体形状差が、肉眼で簡単には認識できないほど小さくても、券種判別システムでは券種の判別が可能となる。
【００３８】
図３は被読取媒体の構成例を示している。特定の周波数に共振するような形状をした被読取媒体導体部３０１が、例えば板状であったり、十分な厚みを持った金属箔であったりするなど、被読取媒体導体部３０１単体でも形状を維持可能な強度を有しているならば、被読取媒体層構成Ａ３０２のように、被読取媒体導体部３０１だけで被読取媒体を構成することができる。
【００３９】
一方、被読取媒体導体部３０１を、支持する基材３０３上に金属蒸着するなどして薄膜とした場合、層構成は被読取媒体層構成Ｂ３０４のようになる。また、被読取媒体層構成Ｂ３０４の金属面と反対の面に接着層３０５を設けると、被読取媒体層構成Ｃ３０６のような被読取ラベルになる。また、蒸着などで形成した金属薄膜は物理的に破壊され易いため、被読取媒体層構成Ｄ３０７のように保護層３０９を設けた被読取ラベルとしても良い。これは被読取媒体層構成Ｂ３０４においても同様で、被読取媒体層構成Ｂ３０４の被読取媒体導体部３０１側の面に接着層３０５を設けることで、基材３０３を保護層の代わりにしても良い。
【００４０】
図４は、偽造防止媒体の構成例を示している。例えば偽造防止媒体層構成Ａ４０１は、セキュリティ機能部に入射する光の入射角度もしくは、視認角度によって色調が変化する機能材料を有している偽造防止媒体の構成例である。
【００４１】
偽造防止媒体層構成Ａ４０１は、基材４０２上に、回折構造を形成した熱可塑性樹脂層４０３、その上に光反射層が重ねられたものである。回折構造は、熱可塑性樹脂層４０３に凹凸形状の金型を熱と圧力をかけながらエンボスすることで形成される。熱可塑性樹脂にはアクリル系樹脂、ポリカーボネート系樹脂、スチレン系樹脂、アクリル系／スチレン系共重合樹脂等を用いることができる。回折構造に沿って設けられた光反射層により、見る角度によって色彩が変化し虹色模様を呈する効果を持っており、光反射層には金属が用いられることが多い。この光反射層として用いられる金属を特定周波数に共振するような形状にすることによって、被読取媒体導体部３０１として利用する。
【００４２】
また偽造防止媒体層構成Ｂ４０４は、基材４０２の上に被読取媒体導体部３０１が設けられ、その上にセキュリティ機能層４０５が重ねられたものである。セキュリティ機能層４０５には多層薄膜を用いたり、低屈折率材料であるマイカ表面に酸化チタンなど高屈折率薄膜が形成された微細粒子を顔料として使用したインキを印刷した層を用いたりすることで、見る角度によって色が変わる効果を得ることが出来る。他にも、セキュリティ機能層４０５にコレステリック液晶を用いることでも、同様の効果を得ることができる。また、これらセキュリティ機能層を見る面と反対側の面に吸収層を設けることで、見る角度によって色が変わる効果を向上させることができる。この吸収層が、セキュリティ機能層４０５と被読取媒体導体部３０１の間に設けられた場合、被読取導体部３０１の隠蔽層としても機能するという利点がある。
【００４３】
設けられた共振周波数が一致する導体のパターンまたは一致しない導体のパターンは、人間が差を認識できないようにするために利用する電波を高周波に制限しなければならないが、上記のように隠蔽層を設けることで、特定の周波数に共振するよう独特の形状をした導体そのものを、見えなくすることができるため、人間の目には同じ被読取媒体でありながら、券種判別システムでは券種の判別が可能となる。
【００４４】
また、セキュリティ機能層４０５に、特定波長の電磁波によって励起することで、前記特定波長と異なる波長の電磁波を放射する蛍光材料または蓄光材料を形成することで、セキュリティ機能部としても良い。
【００４５】
また、偽造防止媒体層構成Ｃ４０６は、基材４０２の上に被読取媒体導体部３０１が設けられ、その上に光配向膜４０７、更にその上にネマティック液晶層４０８を形成したものである。光配向膜４０７の配向方向をパターン状に変えネマティック液晶層４０８を一面に形成するか、ネマティック液晶層４０８をパターン状に形成することで、ネマティック液晶層４０８側から偏光板を通して見た時に、被読取媒体導体部３０１が光反射層として機能し、特定偏光を取り出しパターンが表示されるという効果を得ることができる。
【００４６】
また、上記図４で説明した偽造防止媒体層構成においても、被読取媒体層構成Ｄ３０７と同様、物理的な破壊から守るための保護層４０９が設けられても良いし、設けられなくても良い。
【００４７】
偽造防止媒体層構成Ａ４０１は、基材４０２が透明であれば、基材面側から見ても、光反射層側から見ても、回折構造による虹色模様を認識することができる。偽造防止媒体層
構成Ｂ４０４についても、基材が透明であり、且つ被読取媒体導体部３０１が、セキュリティ機能層４０５を完全に覆っていなければ、基材面側から見ても、セキュリティ機能層４０５側から見ても、セキュリティ機能層４０５の効果を認識することができる。
【００４８】
そのため、偽造防止媒体層構成Ａ４０１もしくは偽造防止媒体層構成Ｂ４０４については両面いずれか、偽造防止媒体層構成Ｃ４０６については基材４０２側に接着層３０５を形成することで、偽造防止ラベルとすることができる。
【００４９】
図５は、各転写箔構成の層構成を示した図である。被読取媒体層構成Ａ３０２の転写箔構成Ａ５０１は、支持基材５０２と、被読取媒体導体部３０１とを支持しながらも、転写後は容易に剥離可能な剥離強度を持つ剥離層５０３と、熱と圧力により貼付対象へ転写可能な接着層５０４で構成されている。
【００５０】
偽造防止媒体層構成Ａ４０１の転写箔構成Ｂ５０５は、回折構造を持った熱可塑性樹脂層４０３と、回折構造に沿うように設けられ被読取媒体導体部３０１として利用する光反射層と、支持基材５０２を支持しながらも、転写後は容易に剥離可能な剥離強度を持つ剥離層５０３と、熱と圧力により貼付対象へ転写可能な接着層５０４で構成されている。
【００５１】
偽造防止媒体層構成Ｂ４０４の転写箔構成Ｃ５０６は、セキュリティ機能層４０５と、被読取媒体導体部３０１と、支持基材５０２とを支持しながらも、転写後は容易に剥離可能な剥離強度を持つ剥離層５０３と、熱と圧力により貼付対象へ転写可能な接着層５０４で構成されている。
【００５２】
偽造防止媒体層構成Ｃ４０６の転写箔構成Ｄ５０７は、光配向膜４０７およびネマティック液晶層４０８および被読取媒体導体部３０１を支持しながらも、転写後は容易に剥離可能な剥離強度を持つ剥離層５０３と、熱と圧力により貼付対象へ転写可能な接着層５０４で構成されている。
【００５３】
前記転写箔構成において、剥離層５０３が保護層を兼ねても良いし、剥離層５０３に接する支持基材５０２と逆側の面に、改めて保護層を設けても良い。
【００５４】
このように上記被読取ラベルや上記偽造防止ラベルは、接着層により物品に貼り付けられることが可能であり、また、上記転写箔は、接着層により物品へ貼り付けられた後、剥離可能な支持基材を剥離することができるようにしたものである。
【００５５】
券種判別能力の観点から見ると、被読取媒体導体部３０１に重ねる層は、電波を遮るものが含まれていなければその材料を限定する必要はないが、重ねる層もしくは貼付対象物品の中に誘電率を持つ材料が含まれている場合、波長短縮効果によって共振周波数にずれが起こるので、予め計算に入れた上で、被読取媒体導体の形状を設計するのが良い。但し誘電率を持った材料が同じ条件で重ねられていたり、貼付対象物品の電波的な性質が一様であったりするならば、共振周波数のずれが一様であるため、券種の特定が可能である。
【００５６】
被読取媒体導体部３０１を、特定の周波数で共振するような形状に加工する方法については、例えば、被読取媒体導体部３０１がある程度の厚みを持ち、単体で形状を維持可能であれば、シート状の導体を特定の形状に切断するような抜き型やカッター等を用いて加工しても良いし、何らかの基材上に蒸着などで形成された導体に、マスク処理を施してからエッチング処理を行っても良いし、高出力レーザーで導体を除去する加工を行っても良い。
【００５７】
特にレーザー加工は、大量生産には向かないが、形状データを選ぶことによって任意の
形状に加工できるため、被読取媒体の共振周波数をその場で設定するオンデマンド発行が可能となる。例えば、ある程度決められた形状の蒸着がされている接着層付き基材フィルムに、レーザー加工により被読取媒体導体部を形成し、共振周波数調整を行った後、別に用意されているセキュリティ機能入りフィルムと貼り合わせることで、容易に券種判別機能を付与した偽造防止媒体のオンデマンド発行が可能となる。
【００５８】
以上、この発明の実施形態について図面を参照して詳述してきたが、具体的な構成はこの実施形態に限られるものではなく、この発明の趣旨を逸脱しない範囲の設計等も含まれる。
【産業上の利用可能性】
【００５９】
本発明は、例えば商品券や入場チケットなど、金銭的価値を持ち偽造を防止する必要がある物品の内、無人で券種を判別する必要がある物品に貼付すれば、例えば自動販売機や映画館の入場ゲートに券種読取装置を設置しておき、被読取媒体が貼付された商品券や入場チケットを投入することにより、商品券の額面を判別したり、劇場場所の案内をアナウンスしたりするなどのサービスに利用可能である。また、従来磁気ストライプ等で利用されてきたような多くのアプリケーションに応用が可能である。
【符号の説明】
【００６０】
１００…券種判別システム
１０１…券種読取装置
１０２…被読取媒体
１０３…券種判別装置部
１０４…アンテナ部
１０５…シールド
２０１…券種判別装置構成Ａ
２０２…券種判別装置構成Ｂ
２０３…送信アンテナ
２０４…受信アンテナ
２０５…電波生成部
２０６…電波受信部
２０７…送受信アンテナ
２０８…方向性結合器
２０９…制御部
３０１…被読取媒体導体部
３０２…被読取媒体層構成Ａ
３０３…基材
３０４…被読取媒体層構成Ｂ
３０５…接着層
３０６…被読取媒体層構成Ｃ
３０７…被読取媒体層構成Ｄ
３０８…保護層
４０１…偽造防止媒体層構成Ａ
４０２…基材
４０３…熱可塑性樹脂層
４０４…偽造防止媒体層構成Ｂ
４０５…セキュリティ機能層
４０６…偽造防止媒体層構成Ｃ
４０７…光配向膜
４０８…ネマティック液晶層
４０９…保護層
５０１…転写箔構成Ａ
５０２…支持基材
５０３…剥離層
５０４…接着層
５０５…転写箔構成Ｂ
５０６…転写箔構成Ｃ
５０７…転写箔構成Ｄ
【図１】
2011227544.tif 000003
【図２】
2011227544.tif 000004
【図３】
2011227544.tif 000005
【図４】
2011227544.tif 000006
【図５】
2011227544.tif 000007